【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
表示手段と、
原稿の画像を読み取る読取手段と、
前記読取手段により読み取った画像を前記表示手段に表示するプレビュー表示手段とを備え、
前記プレビュー表示手段は、前記読取手段により原稿の全ページの画像の読み取りを完了する前に、読み取りを完了したページの画像を表示し、
読み取りを完了した前記原稿の複数ページの画像を前記表示手段に表示する際に、複数の画像のうちの１つの画像を他の画像よりも拡大して表示し、当該拡大して表示する画像を一定時間ごとに切り替える、画像読取装置。
【請求項２】
前記プレビュー表示手段は、読み取りを完了した前記原稿の複数ページの画像を前記表示手段に表示する際に、前記読取手段により読み取られた画像を読み取りが完了した順に、前記表示手段に順次表示する、請求項１に記載の画像読取装置。
【請求項３】
前記プレビュー表示手段は、読み取りを完了した前記原稿の複数ページの画像を前記表示手段に表示する際に、前記読取手段により読み取りが完了した画像を、表示領域の一方から他方へ所定方向に移動させながら表示する、請求項１または２に記載の画像読取装置。
【請求項４】
前記プレビュー表示手段は、読み取りを完了した前記原稿の複数ページの画像を前記表示手段に表示する際に、表示されている複数の画像のうち中央に位置する画像を拡大して表示する、請求項３に記載の画像読取装置。
【請求項５】
前記複数の画像から特定原稿を検出する検出手段をさらに備える、請求項１〜４のいずれかに記載の画像読取装置。
【請求項６】
前記プレビュー表示手段は、前記検出手段により検出された特定原稿の画像をプレビュー表示する代わりに特定原稿であることを示す表示を行う、請求項５に記載の画像読取装置。
【請求項７】
表示手段を備えた画像読取装置の制御プログラムであって、
原稿の画像を読み取る読取ステップと、
前記読取ステップにて読み取った画像を前記表示手段に表示するプレビュー表示ステップとをコンピューターに実行させ、
前記プレビュー表示ステップにおいて、前記読取ステップにて原稿の全ページの画像の読み取りを完了する前に、読み取りを完了したページの画像を表示し、
読み取りを完了した前記原稿の複数ページの画像を前記表示手段に表示する際に、複数の画像のうちの１つの画像を他の画像よりも拡大して表示し、当該拡大して表示する画像を一定時間ごとに切り替える、画像読取装置の制御プログラム。
【請求項８】
前記プレビュー表示ステップにおいて、読み取りを完了した前記原稿の複数ページの画像を前記表示手段に表示する際に、前記読取ステップにて読み取った画像を読み取りが完了した順に、前記表示手段に順次表示する、請求項７に記載の画像読取装置の制御プログラム。
【請求項９】
前記プレビュー表示ステップにおいて、読み取りを完了した前記原稿の複数ページの画像を前記表示手段に表示する際に、前記読取ステップにて読み取りが完了した画像を、表示領域の一方から他方へ所定方向に移動させながら表示する、請求項７または８に記載の画像読取装置の制御プログラム。
【請求項１０】
前記プレビュー表示ステップにおいて、読み取りを完了した前記原稿の複数ページの画像を前記表示手段に表示する際に、表示されている複数の画像のうち中央に位置する画像を拡大して表示する、請求項９に記載の画像読取装置。
【請求項１１】
前記複数の画像から特定原稿を検出する検出ステップをさらにコンピューターに実行させる、請求項７〜１０のいずれかに記載の画像読取装置の制御プログラム。
【請求項１２】
前記プレビュー表示ステップにおいて、前記検出ステップにて検出された特定原稿の画像をプレビュー表示する代わりに特定原稿であることを示す表示を行う、請求項１１に記載の画像読取装置の制御プログラム。
【手続補正２】
【補正対象書類名】明細書
【補正対象項目名】発明の名称
【補正方法】変更
【補正の内容】
【発明の名称】画像読取装置および画像読取装置の制御プログラム
【手続補正３】
【補正対象書類名】明細書
【補正対象項目名】０００１
【補正方法】変更
【補正の内容】
【０００１】
本発明は、画像読取装置および画像読取装置の制御プログラムに関し、より特定的には、読み取りを完了した画像をプレビュー表示する画像読取装置および画像読取装置の制御プログラムに関する。
【手続補正４】
【補正対象書類名】明細書
【補正対象項目名】００１３
【補正方法】変更
【補正の内容】
【００１３】
本発明は、表示手段に表示された複数ページの画像の確認を容易に行うことのできる画像読取装置および画像読取装置の制御プログラムを提供するものである。
【手続補正５】
【補正対象書類名】明細書
【補正対象項目名】００１４
【補正方法】変更
【補正の内容】
【００１４】
本発明の一の局面に従う画像読取装置は、表示手段と、原稿の画像を読み取る読取手段と、読取手段により読み取った画像を表示手段に表示するプレビュー表示手段とを備え、プレビュー表示手段は、読取手段により原稿の全ページの画像の読み取りを完了する前に、読み取りを完了したページの画像を表示し、読み取りを完了した原稿の複数ページの画像を表示手段に表示する際に、複数の画像のうちの１つの画像を他の画像よりも拡大して表示し、当該拡大して表示する画像を一定時間ごとに切り替える。
上記画像読取装置において好ましくは、プレビュー表示手段は、読み取りを完了した原稿の複数ページの画像を表示手段に表示する際に、読取手段により読み取られた画像を読み取りが完了した順に、表示手段に順次表示する。
上記画像読取装置において好ましくは、プレビュー表示手段は、読み取りを完了した原稿の複数ページの画像を表示手段に表示する際に、読取手段により読み取りが完了した画像を、表示領域の一方から他方へ所定方向に移動させながら表示する。
上記画像読取装置において好ましくは、プレビュー表示手段は、読み取りを完了した原稿の複数ページの画像を表示手段に表示する際に、表示されている複数の画像のうち中央に位置する画像を拡大して表示する。
上記画像読取装置において好ましくは、複数の画像から特定原稿を検出する検出手段をさらに備える。
上記画像読取装置において好ましくは、プレビュー表示手段は、検出手段により検出された特定原稿の画像をプレビュー表示する代わりに特定原稿であることを示す表示を行う。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】変更
【補正の内容】
【００２６】
本発明の他の局面に従う画像読取装置の制御プログラムは、表示手段を備えた画像読取装置の制御プログラムであって、原稿の画像を読み取る読取ステップと、読取ステップにて読み取った画像を表示手段に表示するプレビュー表示ステップとをコンピューターに実行させ、プレビュー表示ステップにおいて、読取ステップにて原稿の全ページの画像の読み取りを完了する前に、読み取りを完了したページの画像を表示し、読み取りを完了した原稿の複数ページの画像を表示手段に表示する際に、複数の画像のうちの１つの画像を他の画像よりも拡大して表示し、当該拡大して表示する画像を一定時間ごとに切り替える。
上記制御プログラムにおいて好ましくは、プレビュー表示ステップにおいて、読み取りを完了した原稿の複数ページの画像を表示手段に表示する際に、読取ステップにて読み取った画像を読み取りが完了した順に、表示手段に順次表示する。
上記制御プログラムにおいて好ましくは、プレビュー表示ステップにおいて、読み取りを完了した原稿の複数ページの画像を表示手段に表示する際に、読取ステップにて読み取りが完了した画像を、表示領域の一方から他方へ所定方向に移動させながら表示する。
上記制御プログラムにおいて好ましくは、プレビュー表示ステップにおいて、読み取りを完了した原稿の複数ページの画像を表示手段に表示する際に、表示されている複数の画像のうち中央に位置する画像を拡大して表示する。
上記制御プログラムにおいて好ましくは、複数の画像から特定原稿を検出する検出ステップをさらにコンピューターに実行させる。
上記制御プログラムにおいて好ましくは、プレビュー表示ステップにおいて、検出ステップにて検出された特定原稿の画像をプレビュー表示する代わりに特定原稿であることを示す表示を行う。
【手続補正１８】
【補正対象書類名】明細書
【補正対象項目名】００２７
【補正方法】変更
【補正の内容】
【００２７】
本発明によれば、表示手段に表示された複数ページの画像の確認を容易に行うことのできる画像読取装置および画像読取装置の制御プログラムを提供することができる。